(57)【要約】【課題】簡単な装置でボールの高さやコースを任意に調整して、実践に則した練習をすることができる打撃練習装置を提供するものである。【解決手段】本塁ベース部１の左右に支持板２を取付けると共に、ベース部１に左右方向に移動可能なスライド部３を設け、このスライド部３にエアーシリンダ４を打撃方向に回動自在に立設すると共に、エアーシリンダ４にエアー開閉バルブ６を取付け、更に前記エアーシリンダ４のピストンロッド７の上部先端に、密巻コイルスプリング８を介してボール９を取付け、このボール９の下部と前記ピストンロッド７の上部とを、前記密巻コイルスプリング９を貫通する引張コイルスプリング１０で連結し、スライド部３に、エアーシリンダ４を弾性的に後方に向かって押圧する押え板５を取付けたものである。【選択図】  図２ 
0003101767.tif 000002
【実用新案登録請求の範囲】
【請求項１】
本塁ベース部の左右に支持板を取付けると共に、ベース部に左右方向に移動可能なスライド部を設け、このスライド部にエアーシリンダを打撃方向に回動自在に立設すると共に、エアーシリンダにエアー開閉バルブを取付け、更に前記エアーシリンダのピストンロッドの上部先端に、密巻コイルスプリングを介してボールを取付け、このボールの下部と前記ピストンロッドの上部とを、前記密巻コイルスプリングを貫通する引張コイルスプリングで連結したことを特徴とする打撃練習装置。
【請求項２】
スライド部に、エアーシリンダを弾性的に後方に向かって押圧する押え板を取付けたことを特徴とする請求項１記載の打撃練習装置。
【考案の詳細な説明】
【技術分野】
【０００１】
本考案は、野球の打撃練習装置に関するものである。
【背景技術】
【０００２】
一般に野球の打撃練習方法としては、ティーバッティング、トスバッティング、フリーバッティング、素振りなどの方法がある。従来の打撃練習装置としては、バッティングセンターに設置されているボール投球装置があるが、これは大掛かりな装置で個人的に購入して練習できる装置ではない。個人用、家庭用で狭い場所でも使用できる打撃練習装置としては、例えばスライド管の上部に球形の空気圧力室を設け、この上にボールを取付けた装置（特許文献１）がある。
【０００３】
しかしながら、この打撃練習装置はボールに加わる衝撃を球形の空気圧力室で吸収する構造で、空気圧だけで調整するので野球のバットで打撃したような反発力がなく、またボールより大きな空気圧力室に取付けられているので、実践に則した練習には向かない問題があった。
【特許文献１】特開平８ー１０３６８号公報
【考案の開示】
【考案が解決しようとする課題】
【０００４】
本考案は上記問題を改善し、簡単な装置でボールの高さやコースを任意に調整して、実践に則した練習をすることができる打撃練習装置を提供するものである。
【課題を解決するための手段】
【０００５】
本考案の請求項１記載の打撃練習装置は、本塁ベース部の左右に支持板を取付けると共に、ベース部に左右方向に移動可能なスライド部を設け、このスライド部にエアーシリンダを打撃方向に回動自在に立設すると共に、エアーシリンダにエアー開閉バルブを取付け、更に前記エアーシリンダのピストンロッドの上部先端に、密巻コイルスプリングを介してボールを取付け、このボールの下部と前記ピストンロッドの上部とを、前記密巻コイルスプリングを貫通する引張コイルスプリングで連結したことを特徴とするものである。
【０００６】
本考案の請求項２記載の打撃練習装置は、スライド部に、エアーシリンダを弾性的に後方に向かって押圧する押え板を取付けたことを特徴とするものである。
【考案の効果】
【０００７】
本考案に係る請求項１記載の打撃練習装置によれば、ボールの反発力とコースを任意に設定でき、本塁ベース部の横に立ってバットでボールを打撃すると密巻コイルスプリングと引張コイルスプリングが撓んで衝撃を吸収するので実際に投球されたボールを打つ感覚で繰り返して反復練習することができる。また装置が小型で狭い場所でも設置して練習することができる。
【０００８】
また請求項２記載の打撃練習装置によれば、バットでボールを打撃すると衝撃は密巻コイルスプリングと引張コイルスプリングに大部分吸収され、一部はピストンロッドとエアーシリンダに加わるが、回動自在に支持されたエアーシリンダの下部側面には、後方に向かって弾性的に押圧する押え板が取付けられているので、押え板を前方に押し返して衝撃を吸収し、エアーシリンダを保護することができる。
【考案を実施するための最良の形態】
【０００９】
本発明は野球の打撃練習に好適な打撃練習装置を実現した。
【実施例１】
【００１０】
以下本考案の実施例を図１ないし図４を参照して詳細に説明する。図１において１は五角形の本塁ベース部、２は本塁ベース部１の左右に取付けられた支持板、３は本塁ベース部１の中間に左右方向に移動可能に取付けられたスライド部、４はこのスライド部３に打撃方向に回動自在に立設されたエアーシリンダ、５はエアーシリンダ４を弾性的に後方に向かって押圧する押え板、６はエアーシリンダ４に取付けられたエアー開閉バルブ、７はエアーシリンダのピストンロッドである。
【００１１】
また図３において８はピストンロッド７の上部先端に取付けられた密巻コイルスプリング、９はこの上に取付けられたボール、１０はこのボール９の下部と前記ピストンロッド７の上部とを、前記密巻コイルスプリング８を貫通して連結した引張コイルスプリングである。
【００１２】
前記本塁ベース部１の左右に取付けられた支持板２は図１に示すように、バッターボックスラインを兼ね、ヒンジ１２を介して折畳自在に取付けられている。また本塁ベース部１の中央には左右方向にガイド部１３が形成され、ここにスライド部３が摺動自在に取付けられている。このスライド部３は、スライド板１５の上に間隔をおいて２個のブラケット１６、１６が取付けられ、ここに前記エアーシリンダ４の下部が軸１７で回動自在に支持されている。
【００１３】
またブラケット１６、１６の上部には図２に示すように、横方向にガイドブラケット１９、１９が取付けられ、エアーシリンダ４の反打撃方向側にストッパー２０が着脱自在に取付けられている。また反対の打撃方向側には、押え板５が取付けられている。この押え板５は、支え板２２と軸２３でヒンジ状に連結され、この軸２３に巻回した押えスプリング２４の一端が、押え板５に接触して押圧し、他端が支え板２２に接触して、押え板５がエアーシリンダ４を弾性的に後方に向かって押圧するようになっている。
【００１４】
また前記エアーシリンダ４は図１に示すように、シリンダ部２６の内側にピストン２７が上下動自在に取付けられ、この下方にエアー開閉バルブ６が取付けられている。ピストン２７の上部にはピストンロッド７が取付けられ、エアー開閉バルブ６を開いた状態でピストンロッド７を昇降させてボール９の位置を任意の高さに調整してからエアー開閉バルブ６を閉じることにより、ボール９の高さを設定することができるようになっている。
【００１５】
またピストンロッド７の上部側には図３に示すように、ねじ溝２９が形成され、これは継ぎナット３０の下部側にねじ込まれて連結されている。この継ぎナット３０には継ぎボルト３１が取付けられている。また継ぎボルト３１の中心には上下方向に貫通孔３３が開孔され、ここにスプリング調整ボルト３４が貫通して、その下端に調整ナット３５が取付けられている。
【００１６】
また継ぎボルト３１の上部にはナット３７が取付けられ、この上に密巻コイルスプリング８が取付けられている。またボール９にはその中心を貫通してボール止めロッド３８が取付けられ、この下端と、前記スプリング調整ボルト３４の上端とは引張コイルスプリング１０で連結されている。また密巻コイルスプリング８の周囲には円筒状のゴムカバー３９が被せられて、密巻コイルスプリング８を保護するようになっている。なお図において４０は本塁ベース部１の下に取付けたクッション板である。
【００１７】
上記構成の打撃練習装置は、図４に示すようにガイドブラケット１９、１９に取付けたストッパー２０を抜いた状態で軸１７を回動支点してエアーシリンダ４を折り畳んだ状態にすると共に、支持板２も折り畳んだ状態にして保管・運搬する。使用する時には、エアーシリンダ４を上方に回動させてから、図２に示すようにガイドブラケット１９、１９にストッパー２０を取り付ける。また図１に示すように本塁ベース部１の左右にヒンジ１２を介して取付けた左右の支持板２、２を広げて、図示しないストッパーで固定する。
【００１８】
次に図３に示すように上部のナット３７と継ぎボルト３１を外し、継ぎボルト３１に貫通したスプリング調整ボルト３４の高さを調整ナット３５を回転させて調整することにより、バットでボール９を打撃した時の反発力を調整する。この後、継ぎボルト３１の下部側を継ぎナット３０にねじ込み、ナット３７で固定する。
【００１９】
この後、図２に示すようにエアーシリンダ４に取付けたエアー開閉バルブ６を開いて、ピストンロッド７を引き上げ、ボール９の高さを調整したら、エアー開閉バルブ６を閉じると、打撃練習する任意の高さにボール９が固定される。次に図１に示すようにスライド部３をガイド部１３に沿って左右に移動させ、打撃練習する内角、外角のコースに合わせて調整する。
【００２０】
このように打撃練習装置のボール９の反発力とコースを設定したら、本塁ベース部１の横のバッターボックスラインを兼ねる支持板２の横に立ってバットでボール９を打撃する。ボール９が打撃されると、ボール９とエアーシリンダ４のピストンロッド７とは、密巻コイルスプリング８と引張コイルスプリング１０とで連結されているので、衝撃は直接ピストンロッド７には加わらず、密巻コイルスプリング８と引張コイルスプリング１０が撓んで衝撃を吸収して、復帰する。
【００２１】
またバットでボール９を打撃すると衝撃に一部はピストンロッド７とエアーシリンダ４に加わるが、エアーシリンダ４の下部側面には図２に示すように押えスプリング２４を取付けた押え板５が当接しているので、エアーシリンダ４は軸１７を中心として押え板５を押し返して前方に回動し、衝撃を吸収しエアーシリンダ４を保護することができる。
【００２２】
従って、打撃の基本である始動からインパクト、フォロースローの一連の動作を、実際に投球されたボール９を打つ感覚で練習して、打撃のフォームを体で覚えることができる。また苦手とする高め、低め、内角、外角などのボールのコースを繰り返して反復練習することができる。また練習後は、ピストンロッド７を下げて、支持板２をたたみ、ストッパー２０を外してエアーシリンダ４を倒すと図４に示すようにコンパクトにして運搬・保管することができる。また本塁ベース部１と支持板２は取外し自在に連結した構造でも良い。
【図面の簡単な説明】
【００２３】
【図１】本考案の実施例による打撃練習装置の斜視図である。
【図２】下部側を破断した打撃練習装置の側面図である。
【図３】打撃練習装置の上部側を示す断面図である。
【図４】エアーシリンダを折畳んだ状態を示す打撃練習装置の側面図である。
【符号の説明】
【００２４】
１    本塁ベース部                                          
２    支持板                                                
３    スライド部                                            
４    エアーシリンダ                                        
５    押え板                                                
６    エアー開閉バルブ                                      
７    ピストンロッド                                        
８    密巻コイルスプリング                                  
９    ボール                                                
１０  引張コイルスプリング                                  
１２  ヒンジ                                                
１３  ガイド部                                              
１５  スライド板                                            
１６  ブラケット                                            
１７  軸                                                    
１９  ガイドブラケット                                      
２０  ストッパー                                            
２２  支え板                                                
２３  軸                                                    
２４  押えスプリング                                        
２６  シリンダ部                                            
２７  ピストン                                              
２９  ねじ溝                                                
３０  継ぎナット                                            
３１  継ぎボルト                                            
３３  貫通孔                                                
３４  スプリング調整ボルト                                  
３５  調整ナット                                            
３７  ナット                                                
３８  ボール止めロッド                                      
３９  ゴムカバー                                            
４０  クッション板
【図１】
0003101767.tif 000003
【図２】
0003101767.tif 000004
【図３】
0003101767.tif 000005
【図４】
0003101767.tif 000006